【手続補正書】
【提出日】平成20年7月11日(2008.7.11)
【手続補正１】
【補正対象書類名】特許請求の範囲
【補正対象項目名】全文
【補正方法】変更
【補正の内容】
【特許請求の範囲】
【請求項１】
制御電圧に応じた周波数を発振する電圧制御発振器と、一定の周波数を発振する基準周波数発振器と、前記電圧制御発振器の出力周波数と前記基準周波数発振器の出力周波数とを比較して位相差を出力する位相比較器と、前記位相差に基づいて制御電圧を生成するループフィルタとから構成されるＰＬＬ回路であって、
前記位相比較器の出力段に、当該回路のループ利得を可変とするループ利得可変手段を備え、
前記ループ利得可変手段が、ループ利得を調節するための第１のパラメータを記憶する第１のレジスタと、位相比較器からの出力に、前記第１のレジスタから出力される前記第１のパラメータを乗算する第１の乗算器とで構成され、
前記第１のレジスタに、装置の状態及び使用条件に基づいて第１のパラメータを設定する制御部を備えたことを特徴とするＰＬＬ回路。
【請求項２】
制御電圧に応じた周波数を発振する電圧制御発振器と、一定の周波数を発振する基準周波数発振器と、前記電圧制御発振器の出力周波数と前記基準周波数発振器の出力周波数とを比較して位相差を出力する位相比較器と、前記位相差に基づいて制御電圧を生成するループフィルタとから構成されるＰＬＬ回路であって、
前記位相比較器の出力段に、当該回路の応答特性を可変とする応答特性可変手段を備え、
前記応答特性可変手段が、応答特性を調節するための第２のパラメータを記憶する第２のレジスタと、位相比較器からの出力に、前記第２のレジスタから出力される前記第２のパラメータを乗算する第２の乗算器とで構成され、
前記第２のレジスタに、装置の状態及び使用条件に基づいて第２のパラメータを設定する制御部を備えたことを特徴とするＰＬＬ回路。
【請求項３】
制御電圧に応じた周波数を発振する電圧制御発振器と、一定の周波数を発振する基準周波数発振器と、前記電圧制御発振器の出力周波数と前記基準周波数発振器の出力周波数とを比較して位相差を出力する位相比較器と、前記位相差に基づいて制御電圧を生成するループフィルタとから構成されるＰＬＬ回路であって、
前記位相比較器の出力段に、当該回路のループ利得の値を可変とするループ利得可変手段と、当該回路の応答特性を可変とする応答特性可変手段とを備え、
前記ループ利得可変手段が、ループ利得を調節するための第１のパラメータを記憶する第１のレジスタと、位相比較器からの出力に、前記第１のレジスタから出力される前記第１のパラメータを乗算する第１の乗算器とから構成され、
前記応答特性可変手段が、応答特性を調節するための第２のパラメータを記憶する第２のレジスタと、前記第１の乗算器の出力を分岐して入力し、前記第１の乗算器からの出力に前記第２のレジスタから出力される前記第２のパラメータを乗算する第２の乗算器とで構成され、
装置の状態及び使用条件に基づいて、前記第１のレジスタに、第１のパラメータを設定すると共に、前記第２のレジスタに、第２のパラメータを設定する制御部を備えたことを特徴とするＰＬＬ回路。
【請求項４】
装置の個体差を補償するために第１，第２のレジスタに設定されるパラメータとしての、第１のデフォルトパラメータ及び第２のデフォルトパラメータと、前記第１，第２のデフォルトパラメータを温度に応じて補正する補正値としての第１の温度パラメータ及び第２の温度パラメータを、温度に対応して記憶する温度テーブルとを記憶する補正値メモリと、
温度を検出する温度センサとを備え、
制御部が、前記温度センサからの検出温度に応じて、前記温度テーブルを参照して、第１のデフォルトパラメータと、前記検出温度に対応する第１の温度パラメータとの和を第１のパラメータとして第１のレジスタに設定し、第２のデフォルトパラメータと、前記検出温度に対応する第２の温度パラメータとの和を第２のパラメータとして第２のレジスタに設定することを特徴とする請求項３記載のＰＬＬ回路。
【請求項５】
補正値メモリが、複数の使用周波数帯に対応する温度テーブルを備え、
制御部が、外部から使用周波数帯が設定されると、前記設定された使用周波数帯に対応する温度テーブルを参照することを特徴とする請求項４記載のＰＬＬ回路。
【手続補正２】
【補正対象書類名】明細書
【補正対象項目名】００１８
【補正方法】変更
【補正の内容】
【００１８】
上記従来例の問題点を解決するための本発明は、制御電圧に応じた周波数を発振する電圧制御発振器と、一定の周波数を発振する基準周波数発振器と、電圧制御発振器の出力周波数と基準周波数発振器の出力周波数とを比較して位相差を出力する位相比較器と、位相差に基づいて制御電圧を生成するループフィルタとから構成されるＰＬＬ回路であって、位相比較器の出力段に、当該回路のループ利得を可変とするループ利得可変手段を備え、ループ利得可変手段が、ループ利得を調節するための第１のパラメータを記憶する第１のレジスタと、位相比較器からの出力に、第１のレジスタから出力される第１のパラメータを乗算する第１の乗算器とで構成され、第１のレジスタに、装置の状態及び使用条件に基づいて第１のパラメータを設定する制御部を備えたことを特徴としている。
【手続補正３】
【補正対象書類名】明細書
【補正対象項目名】００１９
【補正方法】変更
【補正の内容】
【００１９】
上記従来例の問題点を解決するための本発明は、制御電圧に応じた周波数を発振する電圧制御発振器と、一定の周波数を発振する基準周波数発振器と、電圧制御発振器の出力周波数と基準周波数発振器の出力周波数とを比較して位相差を出力する位相比較器と、位相差に基づいて制御電圧を生成するループフィルタとから構成されるＰＬＬ回路であって、位相比較器の出力段に、当該回路の応答特性を可変とする応答特性可変手段を備え、応答特性可変手段が、応答特性を調節するための第２のパラメータを記憶する第２のレジスタと、位相比較器からの出力に、第２のレジスタから出力される第２のパラメータを乗算する第２の乗算器とで構成され、第２のレジスタに、装置の状態及び使用条件に基づいて第２のパラメータを設定する制御部を備えたことを特徴としている。
【手続補正４】
【補正対象書類名】明細書
【補正対象項目名】００２０
【補正方法】変更
【補正の内容】
【００２０】
上記従来例の問題点を解決するための本発明は、制御電圧に応じた周波数を発振する電圧制御発振器と、一定の周波数を発振する基準周波数発振器と、電圧制御発振器の出力周波数と基準周波数発振器の出力周波数とを比較して位相差を出力する位相比較器と、位相差に基づいて制御電圧を生成するループフィルタとから構成されるＰＬＬ回路であって、位相比較器の出力段に、当該回路のループ利得の値を可変とするループ利得可変手段と、当該回路の応答特性を可変とする応答特性可変手段とを備え、ループ利得可変手段が、ループ利得を調節するための第１のパラメータを記憶する第１のレジスタと、位相比較器からの出力に、第１のレジスタから出力される第１のパラメータを乗算する第１の乗算器とから構成され、応答特性可変手段が、応答特性を調節するための第２のパラメータを記憶する第２のレジスタと、第１の乗算器の出力を分岐して入力し、第１の乗算器からの出力に第２のレジスタから出力される第２のパラメータを乗算する第２の乗算器とで構成され、装置の状態及び使用条件に基づいて、第１のレジスタに、第１のパラメータを設定すると共に、第２のレジスタに、第２のパラメータを設定する制御部を備えたことを特徴としている。
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２６
【補正方法】変更
【補正の内容】
【００２６】
本発明によれば、制御電圧に応じた周波数を発振する電圧制御発振器と、一定の周波数を発振する基準周波数発振器と、電圧制御発振器の出力周波数と基準周波数発振器の出力周波数とを比較して位相差を出力する位相比較器と、位相差に基づいて制御電圧を生成するループフィルタとから構成されるＰＬＬ回路であって、位相比較器の出力段に、当該回路のループ利得を可変とするループ利得可変手段を備え、ループ利得可変手段が、ループ利得を調節するための第１のパラメータを記憶する第１のレジスタと、位相比較器からの出力に、第１のレジスタから出力される第１のパラメータを乗算する第１の乗算器とで構成され、第１のレジスタに、装置の状態及び使用条件に基づいて第１のパラメータを設定する制御部を備えたＰＬＬ回路としているので、ループ利得を調節して、位相雑音の抑圧特性を広い周波数帯域で安定させることができる効果がある。
【手続補正９】
【補正対象書類名】明細書
【補正対象項目名】００２７
【補正方法】変更
【補正の内容】
【００２７】
本発明によれば、制御電圧に応じた周波数を発振する電圧制御発振器と、一定の周波数を発振する基準周波数発振器と、電圧制御発振器の出力周波数と基準周波数発振器の出力周波数とを比較して位相差を出力する位相比較器と、位相差に基づいて制御電圧を生成するループフィルタとから構成されるＰＬＬ回路であって、位相比較器の出力段に、当該回路の応答特性を可変とする応答特性可変手段を備え、応答特性可変手段が、応答特性を調節するための第２のパラメータを記憶する第２のレジスタと、位相比較器からの出力に、第２のレジスタから出力される第２のパラメータを乗算する第２の乗算器とで構成され、第２のレジスタに、装置の状態及び使用条件に基づいて第２のパラメータを設定する制御部を備えたＰＬＬ回路としているので、応答特性を調節して、位相雑音の抑圧特性を広い周波数帯域で安定させることができる効果がある。
【手続補正１０】
【補正対象書類名】明細書
【補正対象項目名】００２８
【補正方法】変更
【補正の内容】
【００２８】
本発明によれば、制御電圧に応じた周波数を発振する電圧制御発振器と、一定の周波数を発振する基準周波数発振器と、電圧制御発振器の出力周波数と基準周波数発振器の出力周波数とを比較して位相差を出力する位相比較器と、位相差に基づいて制御電圧を生成するループフィルタとから構成されるＰＬＬ回路であって、位相比較器の出力段に、当該回路のループ利得の値を可変とするループ利得可変手段と、当該回路の応答特性を可変とする応答特性可変手段とを備え、ループ利得可変手段が、ループ利得を調節するための第１のパラメータを記憶する第１のレジスタと、位相比較器からの出力に、第１のレジスタから出力される第１のパラメータを乗算する第１の乗算器とから構成され、応答特性可変手段が、応答特性を調節するための第２のパラメータを記憶する第２のレジスタと、第１の乗算器の出力を分岐して入力し、第１の乗算器からの出力に第２のレジスタから出力される第２のパラメータを乗算する第２の乗算器とで構成され、装置の状態及び使用条件に基づいて、第１のレジスタに、第１のパラメータを設定すると共に、第２のレジスタに、第２のパラメータを設定する制御部を備えたＰＬＬ回路としているので、ループ利得及び応答特性を調節して、位相雑音の抑制特性を最適化し、位相雑音の抑圧特性を広い周波数帯域で安定させることができる効果がある。
【手続補正１１】
【補正対象書類名】明細書
【補正対象項目名】００２９
【補正方法】削除
【補正の内容】
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】削除
【補正の内容】